(57)【要約】【課題】表示領域の情報の視認性を向上させること。【解決手段】投射情報の投射光を投射して、車室内から視認し得る位置に設けた少なくとも１箇所の表示領域１５に投射情報を表示させる表示装置１０と、表示装置１０を制御して、表示装置１０から投射光を投射させる制御装置２０と、を備え、表示領域１５又は表示領域１５に向けた車室内の乗員の視線の先に存在する透過具３０の投射光の投射領域３１には、印加電圧の電圧値に応じて光の透過率を変化させる調光フィルム３５を設け、制御装置２０は、表示領域１５に映し出された投射情報を車室内の乗員が視認し得るように、車外の明るさに応じて調光フィルム３５の透過率を変化させる調光制御部２３を有すること。【選択図】図２
2019182398.tif 000002
【特許請求の範囲】
【請求項１】
投射情報の投射光を投射して、車室内から視認し得る位置に設けた少なくとも１箇所の表示領域に前記投射情報を表示させる表示装置と、
前記表示装置を制御して、前記表示装置から前記投射光を投射させる制御装置と、
を備え、
前記表示領域又は前記表示領域に向けた車室内の乗員の視線の先に存在する透過具の前記投射光の投射領域には、印加電圧の電圧値に応じて光の透過率を変化させる調光フィルムを設け、
前記制御装置は、前記表示領域に映し出された前記投射情報を車室内の乗員が視認し得るように、車外の明るさに応じて前記調光フィルムの透過率を変化させる調光制御部を有することを特徴とした車室内表示システム。
【請求項２】
車外の明るさに関わる検出情報を検出する車外情報検出装置を備え、
前記制御装置は、前記車外情報検出装置の前記検出情報に基づいて車外の明るさを推定する車外情報推定部を有することを特徴とした請求項１に記載の車室内表示システム。
【請求項３】
前記透過具は、車両の窓硝子であることを特徴とした請求項１又は２に記載の車室内表示システム。
【請求項４】
前記透過具は、車両のフロント硝子であることを特徴とした請求項１又は２に記載の車室内表示システム。
【請求項５】
前記投射領域には、同等の大きさの複数枚の前記調光フィルムを重ねて又は異なる大きさの複数枚の前記調光フィルムを車両の下方側に向かうほど積層数が増えるように重ねて設けることを特徴とした請求項１から４の内の何れか１つに記載の車室内表示システム。
【請求項６】
前記調光フィルムは、車両の下方側に向かうほど厚みが増すように成形することを特徴とした請求項１から４の内の何れか１つに記載の車室内表示システム。
【請求項７】
前記投射領域には、金属反射膜に増反射膜としての誘電体多層膜が積層された光反射フィルムを前記調光フィルムよりも車室内側に設けることを特徴とした請求項１から６の内の何れか１つに記載の車室内表示システム。
【請求項８】
前記光反射フィルムは、前記投射光を前記調光フィルムに向けて透過させると共に、その透過光よりも多くの光を車室内側に反射させることを特徴とした請求項７に記載の車室内表示システム。
【発明の詳細な説明】
【技術分野】
【０００１】
本発明は、車室内表示システムに関する。
【背景技術】
【０００２】
従来、車両の室内（車室内）で情報を表示させる車室内表示システムが知られている。車室内表示システムは、車室内の所定の表示領域で情報を表示する表示装置と、その情報を表示装置に表示させる制御装置と、を備える。この種の車室内表示システムについては、例えば、下記の特許文献１及び２に開示されている。
【先行技術文献】
【特許文献】
【０００３】
【特許文献１】特開２００６−１４２９８２号公報
【特許文献２】特開２００５−１８４２２５号公報
【発明の概要】
【発明が解決しようとする課題】
【０００４】
ところで、車室内の明るさは、車外の明るさ等の影響を受けて変化する。そして、その車室内の明るさの変化は、表示領域やその周囲でも生じるので、表示領域に表示された情報の視認性に影響を与える。
【０００５】
本発明は、表示領域の情報の視認性を向上させ得る車室内表示システムを提供することを、その目的とする。
【課題を解決するための手段】
【０００６】
上記目的を達成する為、本発明は、投射情報の投射光を投射して、車室内から視認し得る位置に設けた少なくとも１箇所の表示領域に前記投射情報を表示させる表示装置と、前記表示装置を制御して、前記表示装置から前記投射光を投射させる制御装置と、を備え、前記表示領域又は前記表示領域に向けた車室内の乗員の視線の先に存在する透過具の前記投射光の投射領域には、印加電圧の電圧値に応じて光の透過率を変化させる調光フィルムを設け、前記制御装置は、前記表示領域に映し出された前記投射情報を車室内の乗員が視認し得るように、車外の明るさに応じて前記調光フィルムの透過率を変化させる調光制御部を有することを特徴としている。
【０００７】
ここで、車外の明るさに関わる検出情報を検出する車外情報検出装置を備え、前記制御装置は、前記車外情報検出装置の前記検出情報に基づいて車外の明るさを推定する車外情報推定部を有することが望ましい。
【０００８】
また、前記透過具は、車両の窓硝子であることが望ましい。
【０００９】
また、前記透過具は、車両のフロント硝子であることが望ましい。
【００１０】
また、前記投射領域には、同等の大きさの複数枚の前記調光フィルムを重ねて又は異なる大きさの複数枚の前記調光フィルムを車両の下方側に向かうほど積層数が増えるように重ねて設けることが望ましい。
【００１１】
また、前記調光フィルムは、車両の下方側に向かうほど厚みが増すように成形することが望ましい。
【００１２】
また、前記投射領域には、金属反射膜に増反射膜としての誘電体多層膜が積層された光反射フィルムを前記調光フィルムよりも車室内側に設けることが望ましい。
【００１３】
また、前記光反射フィルムは、前記投射光を前記調光フィルムに向けて透過させると共に、その透過光よりも多くの光を車室内側に反射させることが望ましい。
【発明の効果】
【００１４】
本発明に係る車室内表示システムは、表示領域の投射情報を車室内の乗員が視認できるように、車外の明るさに応じて調光フィルムの透過率を変化させている。従って、この車室内表示システムは、表示領域の情報（投射情報）の視認性を向上させることができる。
【図面の簡単な説明】
【００１５】
【図１】図１は、実施形態の車室内表示システムを示すブロック図である。
【図２】図２は、実施形態の車室内表示システムの構成の一例を説明する図である。
【図３】図３は、車室内表示の一例を示す図である。
【図４】図４は、透過具について説明する図である。
【図５】図５は、車室内表示の変形形態を示す図である。
【図６】図６は、変形例１の透過具について説明する図である。
【図７】図７は、変形例２の透過具について説明する図である。
【図８】図８は、変形例３の透過具について説明する図である。
【図９】図９は、変形例４の車室内表示システムの構成の一例を説明する図である。
【図１０】図１０は、変形例４の車室内表示システムの構成の変形形態を説明する図である。
【図１１】図１１は、変形例４の車室内表示の一例を示す図である。
【図１２】図１２は、変形例４の車室内表示の変形形態を示す図である。
【図１３】図１３は、変形例４の透過具の一例について説明する図である。
【図１４】図１４は、変形例４の透過具の変形形態について説明する図である。
【図１５】図１５は、変形例４の透過具の変形形態について説明する図である。
【図１６】図１６は、変形例４の透過具の変形形態について説明する図である。
【発明を実施するための形態】
【００１６】
以下に、本発明に係る車室内表示システムの実施形態を図面に基づいて詳細に説明する。尚、この実施形態によりこの発明が限定されるものではない。
【００１７】
［実施形態］
本発明に係る車室内表示システムの実施形態の１つを図１から図５に基づいて説明する。
【００１８】
図１及び図２の符号１は、本実施形態の車室内表示システムを示す。先ずは車室内表示システム１の概要を説明し、その後、具体的な実施形態についての説明を行う。
【００１９】
車室内表示システム１は、表示装置１０と制御装置２０とを備える。
【００２０】
本実施形態の表示装置１０とは、投射情報の投射光を投射して、車室内から視認し得る位置に設けた少なくとも１箇所の表示領域に投射情報を表示させる装置のことである。また、本実施形態の制御装置２０とは、その投射情報を表示装置１０に表示させるための制御を行う装置のことであり、表示装置１０を制御して、この表示装置１０から投射情報の投射光を投射させる。
【００２１】
投射情報は、文字情報、アイコン等のマーク情報、画像情報、動画情報、経路案内情報、ＴＶ画面等、如何様なものであってもよい。動画情報には、自車両周辺（車両前方や車両後方等）を撮像する撮像装置の撮像情報も含む。
【００２２】
表示装置１０としては、車室内で表示領域として定められた場所に投射情報の投射光を直接投射して表示させる形態のものが考えられる。この場合の表示装置１０は、車室内の壁面を表示領域として利用し、表示領域として定められた車室内の壁面に投射情報の投射光を直接投射する。例えば、車室内においては、内張り（車両のピラー、ドア又は天井等の内張り）の壁面、座席の背面側の壁面、ダッシュボードの壁面、インスツルメントパネルの壁面等を表示領域として利用することができる。これらの壁面においては、全面を１つの表示領域に設定してもよく、全面の中の１つの区画を１つの表示領域として設定してもよく、全面又は１つの区画を複数に区分けした各々を表示領域に設定してもよい。
【００２３】
この場合の表示領域には、印加電圧の電圧値に応じて光の透過率を変化させる調光フィルムを設ける。調光フィルムは、透過率を任意に変化させることができる。この調光フィルムは、例えば、車室内の壁面における表示領域として定められた部分に貼り付けて車室内側から覆ったり、車室内の壁面における表示領域として定められた部分と車室内側の透明の外装との間に介在させたりする。制御装置２０は、その表示領域に投射情報の投射光が投射されるよう表示装置１０を制御すると共に、その表示領域の投射情報を車室内の乗員が視認し得るように、車外の明るさに応じて調光フィルムの透過率を変化させる。例えば、制御装置２０は、車外が明るいほど調光フィルムの透過率を下げていくことによって、表示領域に映し出された投射情報の視認性を向上させる。特に、表示領域として定められた車室内の壁面が淡色の場合には、車外が明るいほど投射情報が見え難くなるが、調光フィルムの透過率を下げて、表示領域を透明色又は淡色から濃色へと変化させることによって、表示領域に映し出された投射情報が見易くなる。
【００２４】
また、表示装置１０としては、表示領域に向けた車室内の乗員の視線（アイポイントＥＰ（図２）を起点とする視線）の先に存在する透過具の投射領域に投射情報の投射光を投射し、その投射領域の更にその先の表示領域に投射情報の虚像を表示させる形態のものが考えられる。この場合の表示装置１０とは、所謂ヘッドアップディスプレイシステムの表示装置のことをいう。よって、この場合の表示領域とは、ヘッドアップディスプレイシステムの虚像の表示領域のことをいう。また、この場合の透過具とは、ヘッドアップディスプレイシステムの投射光を透過させることが可能な部材のことであり、例えば、車両の窓硝子やヘッドアップディスプレイシステムのコンバイナ等が該当する。この透過具においては、全面を１つの投射領域に設定してもよく、全面の中の１つの区画を１つの投射領域として設定してもよく、全面又は１つの区画を複数に区分けした各々を投射領域に設定してもよい。
【００２５】
透過具における投射光の投射領域には、印加電圧の電圧値に応じて光の透過率を変化させる調光フィルムを設ける。調光フィルムは、例えば、透過具の投射領域に車室内側から貼り付けたり、透過具の中に介在させたりする。制御装置２０は、その投射領域に投射情報の投射光が投射されるよう表示装置１０を制御すると共に、表示領域に映し出された投射情報を車室内の乗員が視認し得るように、車外の明るさに応じて調光フィルムの透過率を変化させる。例えば、制御装置２０は、車外が明るいほど調光フィルムの透過率を下げていくことによって、投射領域を透明色又は淡色から濃色へと変化させ、投射領域の背景を視認させ難くする。制御装置２０は、このようにして表示領域に映し出された投射情報を見易くして、その投射情報の視認性を向上させる。更に、投射領域を透過具の一部分（１つの区画）に設けている場合、制御装置２０は、車外が明るいほど調光フィルムの透過率を下げていくことによって、投射領域を透明色又は淡色から濃色へと変化させ、投射領域とその周囲の透過具の先の背景との間のコントラストを高める。制御装置２０は、このようにして表示領域に映し出された投射情報を見易くして、その投射情報の視認性を向上させる。一方、制御装置２０は、車外が暗いほど調光フィルムの透過率を上げていくことによって、投射領域を濃色から透明色又は淡色へと変化させる。この透過率の上昇は、例えば、投射情報を表示させないときに、投射領域の背景を視認し易くするので、乗員の視界を広げることができる。
【００２６】
続いて、この車室内表示システム１の具体的な実施形態について説明する。
【００２７】
本実施形態の車室内表示システム１は、ヘッドアップディスプレイシステムとして構成されたものを例示する。この例示では、制御装置２０で作像された投射情報を表示装置１０で表示させる。また、この例示の透過具３０は、車両のフロント硝子であり、車両の下方側を投射領域３１として設定している（図１から図３）。この例示では、複数の投射領域３１（ここでは、第１から第４の投射領域３１ａ−３１ｄ）が車幅方向に並べて配置されている（図１及び図３）。この表示装置１０では、第１投射部１１ａを車両左側方側に配置し、第４投射部１１ｄを車両右側方側に配置している。
【００２８】
表示装置１０は、制御装置２０で作像された投射情報の投射光を投射させる投射部１１を備える（図１及び図２）。この表示装置１０は、第１から第４の投射領域３１ａ−３１ｄ毎に投射部１１（第１から第４の投射部１１ａ−１１ｄ）を備えている（図１）。
【００２９】
投射部１１は、投射情報を表示する表示部１２を備えている（図１及び図２）。この投射部１１は、その表示部１２を投射領域３１に向けた状態でダッシュボード１０１に埋設されている。投射部１１は、表示部１２に投射情報の表示像を表示させることで、ダッシュボード１０１の開口１０１ａを介して、その表示像の投射光を投射領域３１に向けて投射させる（図２）。この表示装置１０においては、その投射領域３１で投射光が車外側に透過し、その透過先に乗員が視認し得る表示像の虚像が形成される。ここでは、その虚像が形成されている位置を、便宜上、表示領域１５と定義する（図２）。
【００３０】
制御装置２０は、投射情報を生成する投射情報生成部２１と、生成された投射情報を表示装置１０に送信する情報送信部２２と、を有する（図１及び図２）。この例示の制御装置２０は、投射情報生成部２１で投射情報の表示像情報を生成し、その表示像情報を情報送信部２２が表示装置１０に送信する。表示装置１０では、その表示像情報に基づいた表示像を表示部１２に表示させる。
【００３１】
投射情報生成部２１は、第１から第４の投射部１１ａ−１１ｄのそれぞれの表示部１２に表示させる投射情報の表示像情報を各々生成する。ここでは、その一例を示す。
【００３２】
例えば、第１投射部１１ａの表示部１２には、左サイドミラーに映し出されるミラー情報に相当する表示像を表示させる。車両左側方に設けた第１撮像装置４１（図１及び図２）は、車両左側方且つ車両後方の自車両周辺を撮像し、その撮像情報を制御装置２０に送信する。投射情報生成部２１は、その撮像情報に基づいて第１投射部１１ａの表示像情報を生成する。制御装置２０は、その表示像情報に基づいた表示像を第１投射部１１ａの表示部１２に表示させ、その表示像の投射光を第１投射領域３１ａに投射させる。これにより、左サイドミラーのミラー情報に相当する表示像の虚像は、乗員の視線の先にある第１投射領域３１ａに表示されているかの如く（図３）、投射光の透過先の表示領域１５に形成される（図２）。
【００３３】
第４投射部１１ｄの表示部１２には、右サイドミラーに映し出されるミラー情報に相当する表示像を表示させる。車両右側方に設けた第２撮像装置４２（図１及び図２）は、車両右側方且つ車両後方の自車両周辺を撮像し、その撮像情報を制御装置２０に送信する。投射情報生成部２１は、その撮像情報に基づいて第４投射部１１ｄの表示像情報を生成する。制御装置２０は、その表示像情報に基づいた表示像を第４投射部１１ｄの表示部１２に表示させ、その表示像の投射光を第４投射領域３１ｄに投射させる。これにより、右サイドミラーのミラー情報に相当する表示像の虚像は、乗員の視線の先にある第４投射領域３１ｄに表示されているかの如く（図３）、投射光の透過先の表示領域１５に形成される（図２）。
【００３４】
第２投射部１１ｂの表示部１２には、カーナビゲーションシステム５１（図１及び図２）の表示情報（経路案内情報等）に関わる表示像を表示させる。この場合、投射情報生成部２１は、例えば、カーナビゲーションシステム５１から表示情報を受け取り、その表示情報に基づいて第２投射部１１ｂの表示像情報を生成する。例えば、ここでは、次の分岐点などの簡易経路情報を生成する。制御装置２０は、その表示像情報に基づいた表示像を第２投射部１１ｂの表示部１２に表示させ、その表示像の投射光を第２投射領域３１ｂに投射させる。これにより、カーナビゲーションシステム５１の表示情報に関わる表示像の虚像は、乗員の視線の先にある第２投射領域３１ｂに表示されているかの如く（図３）、投射光の透過先の表示領域１５に形成される（図２）。
【００３５】
第３投射部１１ｃの表示部１２には、自車両情報（車速情報等）に関わる表示像を表示させる。この場合、投射情報生成部２１は、例えば、車速センサ６１（図１及び図２）から車速情報を受け取り、その車速情報に基づいて第３投射部１１ｃの表示像情報を生成する。制御装置２０は、その表示像情報に基づいた表示像を第３投射部１１ｃの表示部１２に表示させ、その表示像の投射光を第３投射領域３１ｃに投射させる。これにより、車速情報に関わる表示像の虚像は、乗員の視線の先にある第３投射領域３１ｃに表示されているかの如く（図３）、投射光の透過先の表示領域１５に形成される（図２）。
【００３６】
本実施形態の車室内表示システム１は、投射領域３１（第１から第４の投射領域３１ａ−３１ｄ）に調光フィルム３５を設けている（図２及び図３）。この例示の透過具３０は、２枚の板状の硝子３０ａ，３０ｂの間に２枚の中間膜３０ｃを設け、更にその２枚の中間膜３０ｃの間に調光フィルム３５を介在させた所謂合せ硝子である（図４）。尚、この例示では、硝子３０ａを車室内側に配置し、硝子３０ｂを車室外側に配置している。
【００３７】
調光フィルム３５は、電圧を印加するための通電部材（図示略）とＳＰＤ（Suspended  Particle  Device）層とを備えており、その通電部材を介して制御装置２０が電気的に接続されている。この例示では、全ての投射領域３１（第１から第４の投射領域３１ａ−３１ｄ）に亘って１枚の調光フィルム３５を設けている（図３）。制御装置２０は、その通電部材に電圧を印加して、調光フィルム３５の光の透過率を変化させる調光制御部２３を有する（図１及び図２）。その調光制御部２３は、調光フィルム３５の目標透過率に応じた電圧値の電圧を印加する。
【００３８】
ここで、調光制御部２３は、表示領域１５に形成された投射情報の表示像の虚像を車室内の乗員が視認し得るように、車外の明るさに応じて調光フィルム３５の透過率を変化させる。本実施形態の車室内表示システム１は、車外の明るさを把握するべく、車外の明るさに関わる検出情報を検出する車外情報検出装置７０（図１及び図２）を備える。そして、制御装置２０は、その車外情報検出装置７０の検出情報に基づいて車外の明るさを推定する車外情報推定部２４を有する（図１及び図２）。
【００３９】
例えば、ここでは、ステレオカメラ等の撮像装置を車外情報検出装置７０として利用する。車外情報検出装置７０は、車外の周辺情報（例えば、車両進行方向の道路や建物等）を撮像し、その撮像情報を制御装置２０に送信する。車外情報推定部２４は、その撮像情報から画素毎の輝度値を算出し、その輝度値に基づいて車外の明るさを推定する。例えば、車外情報推定部２４は、各画素の輝度値の平均値を算出し、その平均値を車外の明るさ情報として利用する。調光制御部２３は、その車外の明るさ情報に基づいて調光フィルム３５の目標透過率を算出し、その目標透過率まで調光フィルム３５の透過率を変化させる。目標透過率は、表示領域１５に形成された投射情報の表示像の虚像を車室内の乗員が視認できる値とする。この車室内表示システム１においては、車外の明るさ情報と目標透過率との対応関係を予めマップデータとして用意しておく。
【００４０】
尚、車外の明るさ情報は、車車間通信や路車間通信を利用して取得してもよい。
【００４１】
以上示したように、本実施形態の車室内表示システム１は、表示領域１５の投射情報を車室内の乗員が視認できるように、車外の明るさに応じて調光フィルム３５の透過率を変化させている。従って、この車室内表示システム１は、表示領域１５の情報（投射情報）の視認性を向上させることができる。例えば、この具体例の車室内表示システム１は、投射領域３１とその周囲の背景との間のコントラストを高めることができるので、その投射領域３１に投射された投射情報の表示領域１５での視認性が向上する。また、この具体例の車室内表示システム１は、そのコントラスト比によって、調光フィルム３５の無いシステムと比較して、より精密な投射情報を表示領域１５に表示させることができる。また、この具体例の車室内表示システム１は、調光フィルム３５の無いシステムと比較して、表示装置１０の輝度を高めずとも済むので、安価な低輝度の表示装置１０を適用することができる。また、この具体例の車室内表示システム１は、車外が暗いほど調光フィルム３５の透過率を上げていくことによって、投射情報を表示させないときの投射領域３１の背景が視認し易くなるので、乗員の視界を広げることができる。
【００４２】
ところで、その具体例の車室内表示システム１では、複数の投射領域３１（第１から第４の投射領域３１ａ−３１ｄ）を車幅方向に並べて配置しているので、その全ての投射領域３１に亘る１枚の調光フィルム３５を設けている。故に、この車室内表示システム１においては、投射領域３１毎に透過率を変化させることができない。そこで、車室内表示システム１は、投射領域３１毎に１枚ずつ調光フィルム３５を設け、その投射領域３１毎に調光フィルム３５の目標透過率を変更してもよい。例えば、ここまでの説明では車外の明るさ情報をパラメータにして目標透過率を算出しているが、この車室内表示システム１においては、その車外の明るさ情報と共に、投射情報の内容（具体的には輝度等）もパラメータにして投射領域３１毎に目標透過率を算出してもよい。これにより、この車室内表示システム１は、投射情報の内容に応じた更に適切なコントラスト比となるので、表示領域１５の情報（投射情報）の視認性をより向上させることができる。
【００４３】
また、この車室内表示システム１では、表示装置１０の投射部１１が表示部１２を有するものとして例示したが、その投射部１１として発光ダイオード等の光源を用いてもよい。例えば、表示装置１０においては、第１投射部１１ａと第４投射部１１ｄとを光源にする。これにより、この車室内表示システム１においては、制御装置２０が車両左側方且つ車両後方から近づいてきた他車両を検知した際に、制御装置２０が第１投射部１１ａを点灯又は点滅させ、その出射光を第１投射領域３１ａに映し出すことで、その他車両を乗員に認識させることができる。これと同様に、この車室内表示システム１においては、制御装置２０が車両右側方且つ車両後方から近づいてきた他車両を検知した際に、制御装置２０が第４投射部１１ｄを点灯又は点滅させ、その出射光を第４投射領域３１ｄに映し出すことで、その他車両を乗員に認識させることができる。
【００４４】
また、この車室内表示システム１では、複数の投射領域３１（第１から第３の投射領域３１ａ−３１ｃ）を車幅方向で互いに間隔を空けて配置してもよい（図５）。この場合には、投射領域３１毎に１枚ずつ調光フィルム３５を設ける。
【００４５】
［変形例１］
前述した実施形態では、１枚の調光フィルム３５で本システムを構成するものとして例示した。しかしながら、調光フィルム３５は、例えば、原価等が要因となり、光の透過率の下限値（暗状態側）が本システムで所望の値になり難くなっている可能性がある。
【００４６】
そこで、本変形例の車室内表示システム１では、投射領域３１に、同等の大きさの複数枚の調光フィルム３５を重ねて設ける（図６）。その複数枚の調光フィルム３５は、１つ又は複数又は全ての投射領域３１を覆うように配置する。制御装置２０には、複数枚の調光フィルム３５の内の少なくとも１つの透過率を制御させる。この例示では、３枚の調光フィルム３５が積層されている。
【００４７】
この車室内表示システム１においては、投射領域３１を複数種類の光の透過率に制御する。例えば、制御装置２０は、車外の明るさに応じて投射領域３１を第１暗状態の透過率に制御する場合、２枚の調光フィルム３５の透過率を制御して、投射領域３１を第１暗状態の透過率に制御する。また、この制御装置２０は、車外の明るさに応じて投射領域３１を第２暗状態の透過率（第１暗状態の透過率よりも低い透過率）に制御する場合、３枚の調光フィルム３５の透過率を制御して、投射領域３１を第２暗状態の透過率に制御する。
【００４８】
本変形例の車室内表示システム１は、このように複数枚の調光フィルム３５を配置することによって、１枚の調光フィルム３５で構成した場合と比較して、投射領域３１における光の透過率の下限値を下げることができる。よって、この車室内表示システム１は、表示領域の情報の視認性を更に向上させることができ、また、１枚の調光フィルム３５の原価如何でシステム全体の原価低減を図ることができる。
【００４９】
［変形例２］
前述した変形例１では、同等の大きさの複数枚の調光フィルム３５を重ねて本システムを構成するものとして例示した。本変形例の車室内表示システム１では、投射領域３１に、異なる大きさの複数枚の調光フィルム３５Ａｎ（ｎ＝１，２，３，…ｘ）を車両の下方側に向かうほど積層数が増えるように重ねて設ける（図７）。それぞれの調光フィルム３５Ａｎは、例えば、車幅方向の大きさを略同等のものとするが、車両上下方向の大きさを異なるものとした矩形状又は台形状に成形する。また、それぞれの調光フィルム３５Ａｎは、例えば、その全てで１つ又は複数又は全ての投射領域３１を覆い、かつ、その投射領域３１よりも車両の上方側で積層数を変化させるように配置する。それぞれの調光フィルム３５Ａｎは、車両の下方側に寄せて配置することによって、投射領域３１よりも車両の上方側で積層数を変化させた階段状に積み重ねる。尚、その段差により形成されてしまう隙間は、例えば、樹脂シートである中間膜３０ｃで埋めればよい。
【００５０】
制御装置２０には、複数枚の調光フィルム３５Ａｎの内の少なくとも１つの透過率を制御させる。この例示では、３枚の調光フィルム３５Ａ１，３５Ａ２，３５Ａ３が積層されている。ここでは、調光フィルム３５Ａ１，３５Ａ２，３５Ａ３の順に車両上下方向の大きさが小さくなっている。
【００５１】
この車室内表示システム１においては、変形例１と同じように、投射領域３１を複数種類の光の透過率に制御する。但し、調光フィルム３５Ａｎについては、車両上下方向の大きさが小さいものから優先的に透過率の制御対象とする。例えば、制御装置２０は、車外の明るさに応じて投射領域３１を第１暗状態の透過率に制御する場合、２枚の調光フィルム３５Ａ２，３５Ａ３の透過率を制御して、投射領域３１を第１暗状態の透過率に制御する。また、この制御装置２０は、車外の明るさに応じて投射領域３１を第２暗状態の透過率（第１暗状態の透過率よりも低い透過率）に制御する場合、３枚の調光フィルム３５Ａ１，３５Ａ２，３５Ａ３の透過率を制御して、投射領域３１を第２暗状態の透過率に制御する。
【００５２】
本変形例の車室内表示システム１は、このように複数枚の調光フィルム３５Ａｎを配置しているので、変形例１と同じように、１枚の調光フィルム３５で構成した場合と比較して、投射領域３１における光の透過率の下限値を下げることができる。よって、この車室内表示システム１は、表示領域の情報の視認性を更に向上させることができ、また、１枚の調光フィルム３５Ａｎの原価如何でシステム全体の原価低減を図ることができる。更に、本変形例の車室内表示システム１は、異なる大きさの複数枚の調光フィルム３５Ａｎを車両の下方側に向かうほど積層数が増えるように重ねているので、その積層数の異なる箇所にて、車両の上方側に向かうほど光の透過率が高くなる。よって、この車室内表示システム１は、車両上下方向にて、それぞれの調光フィルム３５Ａｎとその周囲との境目が目立ち難くなり、走行中に車両が振動（上下動等）したときの乗員の目の疲労を軽減させることができるので、表示領域の情報の視認性を更に向上させることができる。
【００５３】
［変形例３］
前述した変形例２では、異なる大きさの複数枚の調光フィルム３５Ａｎを車両の下方側に向かうほど積層数が増えるように重ねて本システムを構成するものとして例示した。本変形例の車室内表示システム１では、その積層数の違いを１枚の調光フィルム３５Ｂで作り出す（図８）。その調光フィルム３５Ｂは、車両の下方側に向かうほど厚みが増すように成形して、厚い場所ほど光の透過率を下げることができるようにしている。例えば、この調光フィルム３５Ｂは、車両の下方側に向かうほど厚みが増すような傾斜面を設けたものであってもよく、車両の下方側に向かうほど厚みが増すように階段状に成形したものであってもよい。ここでは、階段状の調光フィルム３５Ｂを例示している。尚、その段差により形成されてしまう隙間は、例えば、樹脂シートである中間膜３０ｃで埋めればよい。
【００５４】
この例示の調光フィルム３５Ｂは、投射領域３１よりも車両の上方側で厚みを変化させ、かつ、投射領域３１で厚みを変化させないように成形している。この調光フィルム３５Ｂは、その投射領域３１の厚みが最も厚くなるように成形している。また、この調光フィルム３５Ｂは、１つ又は複数又は全ての投射領域３１を覆うように配置する。
【００５５】
制御装置２０には、この調光フィルム３５Ｂの透過率を制御させる。この車室内表示システム１においては、調光フィルム３５Ｂの透過率を制御することで、投射領域３１を暗状態となり、かつ、この投射領域３１よりも車両の上方側が投射領域３１の暗状態から明状態へと徐々に変化していく。つまり、投射領域３１よりも車両の上方側では、車両の上方側に向かうほど光の透過率が高くなる。よって、本変形例の車室内表示システム１は、車両上下方向にて、調光フィルム３５Ｂとその周囲との境目が目立ち難くなり、走行中に車両が振動（上下動等）したときの乗員の目の疲労を軽減させることができるので、表示領域の情報の視認性を更に向上させることができる。
【００５６】
［変形例４］
本変形例は、前述した実施形態及び変形例１−３の車室内表示システム１において、光反射フィルム３６を投射領域３１に設けたものである（図９から図１６）。その光反射フィルム３６は、後述するように、調光フィルム３５（３５Ａｎ，３５Ｂ）よりも車室内側に設ける。
【００５７】
その光反射フィルム３６は、金属反射膜に増反射膜としての誘電体多層膜が積層されたフィルム状のものであり、所謂増反射ミラーの如き光の反射特性と透過特性とを有しているので、投射光を調光フィルム３５（３５Ａｎ，３５Ｂ）に向けて透過させると共に、その透過光よりも多くの光を車室内側に反射させる。この光反射フィルム３６は、例えば、反射率２０％以上で且つ反射率８０％以下の反射特性を有するものである。この光反射フィルム３６は、所謂増反射特性を有するものであれば、如何様な構成のものであってもよい。例えば、光反射フィルム３６とは、基材層としてのＰＥＴ（ポリエチレンテレフタレート）フィルムにアルミニウム等の金属蒸着膜を形成し、その金属蒸着膜に増反射膜としての誘電体多層膜を積層させることによって、光の反射率を高めたものである。
【００５８】
本変形例の車室内表示システム１においては、２枚の硝子３０ａ，３０ｂの間に光反射フィルム３６を介在させてもよく（図９）、車室内側に配置されている硝子３０ａの車室内側の壁面に貼り付けてもよい（図１０）。後述する具体例では、前者を例として挙げている。
【００５９】
また、本変形例の車室内表示システム１においては、全ての投射領域３１（第１から第４の投射領域３１ａ−３１ｄ）に亘って１枚の光反射フィルム３６を設けてもよく（図１１）、投射領域３１（第１から第４の投射領域３１ａ−３１ｄ）毎に１枚ずつ光反射フィルム３６を設けてもよい（図１２）。尚、第１投射領域３１ａと第４投射領域３１ｄは、所謂電子ミラーとして機能させるための投射領域である。
【００６０】
光反射フィルム３６は、実施形態の車室内表示システム１に基づいた投射領域３１の場合、１枚の調光フィルム３５よりも車室内側に設ける。これにより、本変形例の車室内表示システム１は、光反射フィルム３６を調光フィルム３５よりも車室外側に設けたものと比較して、乗員が明るく明瞭な虚像を視認することができる。例えば、この場合における本変形例の透過具３０は、２枚の硝子３０ａ，３０ｂの間に２枚の中間膜３０ｃを設け、更にその２枚の中間膜３０ｃの間で車室外側に調光フィルム３５を介在させ且つ車室内側に光反射フィルム３６を介在させた合せ硝子として構成する（図１３）。
【００６１】
また、光反射フィルム３６は、変形例１の車室内表示システム１に基づいた投射領域３１の場合、複数枚の調光フィルム３５よりも車室内側に設ける。これにより、本変形例の車室内表示システム１は、光反射フィルム３６を複数枚の調光フィルム３５よりも車室外側に設けたものと比較して、乗員が明るく明瞭な虚像を視認することができる。例えば、この場合における本変形例の透過具３０は、２枚の硝子３０ａ，３０ｂの間に２枚の中間膜３０ｃを設け、更にその２枚の中間膜３０ｃの間で車室外側に複数枚の調光フィルム３５を介在させ且つその複数枚の調光フィルム３５よりも車室内側に光反射フィルム３６を介在させた合せ硝子として構成する（図１４）。
【００６２】
また、光反射フィルム３６は、変形例２の車室内表示システム１に基づいた投射領域３１の場合、異なる大きさの複数枚の調光フィルム３５Ａｎよりも車室内側に設ける。これにより、本変形例の車室内表示システム１は、光反射フィルム３６を複数枚の調光フィルム３５Ａｎよりも車室外側に設けたものと比較して、乗員が明るく明瞭な虚像を視認することができる。例えば、この場合における本変形例の透過具３０は、２枚の硝子３０ａ，３０ｂの間に２枚の中間膜３０ｃを設け、更にその２枚の中間膜３０ｃの間で車室外側に複数枚の調光フィルム３５Ａｎを介在させ且つその複数枚の調光フィルム３５Ａｎよりも車室内側に光反射フィルム３６を介在させた合せ硝子として構成する（図１５）。この場合の光反射フィルム３６は、例えば、走行中に車両が振動（上下動等）したときの乗員の目の疲労を軽減させるべく、最も小さい調光フィルム３５Ａ３の大きさに合わせて形成し、これをその調光フィルム３５Ａ３に重ね合わせるように車室内側の調光フィルム３５Ａ１と車室内側の中間膜３０ｃとの間に介在させる。
【００６３】
また、光反射フィルム３６は、変形例３の車室内表示システム１に基づいた投射領域３１の場合、調光フィルム３５Ｂよりも車室内側に設ける。これにより、本変形例の車室内表示システム１は、光反射フィルム３６を調光フィルム３５Ｂよりも車室外側に設けたものと比較して、乗員が明るく明瞭な虚像を視認することができる。例えば、この場合における本変形例の透過具３０は、２枚の硝子３０ａ，３０ｂの間に２枚の中間膜３０ｃを設け、更にその２枚の中間膜３０ｃの間で車室外側に調光フィルム３５Ｂを介在させ且つその調光フィルム３５Ｂよりも車室内側に光反射フィルム３６を介在させた合せ硝子として構成する（図１６）。この場合の光反射フィルム３６は、例えば、走行中に車両が振動（上下動等）したときの乗員の目の疲労を軽減させるべく、調光フィルム３５Ｂにおける最も厚みのある部分の大きさに合わせて形成し、これをその最も厚みのある部分と車室内側の中間膜３０ｃとの間に介在させる。
【００６４】
本変形例の車室内表示システム１は、乗員と調光フィルム３５（３５Ａｎ，３５Ｂ）との間に光反射フィルム３６を介在させているので、実施形態及び変形例１−３の車室内表示システム１と比較して、周辺環境（明るさ、背景等）に負けない高輝度の情報表示を行うことができる。このため、本変形例の車室内表示システム１は、実施形態及び変形例１−３の車室内表示システム１よりも視認性を向上させることができる。更に、本変形例の車室内表示システム１は、投射領域３１と背景との間で輝度対比を大きく取ることができるので、実施形態及び変形例１−３の車室内表示システム１と比較して、より精密な情報表示を行うことができるので、この点からも視認性を向上させることができる。
【００６５】
また、本変形例の車室内表示システム１は、そのような視認性の向上に伴い、実施形態及び変形例１−３の車室内表示システム１よりも低い輝度の表示装置１０を用いることができる。よって、本変形例の車室内表示システム１は、実施形態及び変形例１−３の車室内表示システム１と比較して、表示装置１０にかかる原価を低く抑えることができる。
【００６６】
ところで、本変形例の車室内表示システム１においては、複数の投射領域３１（第１から第４の投射領域３１ａ−３１ｄ）毎に１枚ずつ調光フィルム３５（３５Ａｎ，３５Ｂ）を設けると共に、全ての投射領域３１（第１から第４の投射領域３１ａ−３１ｄ）に亘って１枚の光反射フィルム３６を設けてもよい（図示略）。また、本変形例の車室内表示システム１においては、複数の投射領域３１（第１から第４の投射領域３１ａ−３１ｄ）毎に１枚ずつ光反射フィルム３６を設けると共に、全ての投射領域３１（第１から第４の投射領域３１ａ−３１ｄ）に亘って１枚の調光フィルム３５（３５Ａｎ，３５Ｂ）を設けてもよい（図示略）。
【００６７】
更に、本変形例の車室内表示システム１においては、複数の投射領域３１（第１から第４の投射領域３１ａ−３１ｄ）毎に１枚ずつ調光フィルム３５（３５Ａｎ，３５Ｂ）を設けると共に、全ての投射領域３１（第１から第４の投射領域３１ａ−３１ｄ）に亘って１枚の光反射フィルム３６を設け、その複数の投射領域３１（第１から第４の投射領域３１ａ−３１ｄ）の隣り合うもの同士の間を別の投射領域として設定してもよい（図示略）。そして、この車室内表示システム１では、その別の投射領域に、透過率が０％から１００％の間で１つの値に固定されている透過率固定フィルム（図示略）を設けてもよい。その別の投射領域においては、光反射フィルム３６よりも車室外側に透過率固定フィルムを設ける。つまり、この車室内表示システム１においては、調光フィルム３５（３５Ａｎ，３５Ｂ）と光反射フィルム３６とが重ねられている複数の投射領域３１（第１から第４の投射領域３１ａ−３１ｄ）と、透過率固定フィルムと光反射フィルム３６とが重ねられている１つ又は複数の別の投射領域と、が設けられている。この車室内表示システム１は、その別の投射領域においても、周辺環境（明るさ、背景等）に負けない高輝度の情報表示を行うことができ、かつ、別の投射領域と背景との間で輝度対比を大きく取ることができる。よって、この車室内表示システム１は、視認性を向上させることができる。
【符号の説明】
【００６８】
１  車室内表示システム
１０  表示装置
１５  表示領域
２０  制御装置
２３  調光制御部
２４  車外情報推定部
３０  透過具
３１  投射領域
３１ａ  第１投射領域
３１ｂ  第２投射領域
３１ｃ  第３投射領域
３１ｄ  第４投射領域
３５，３５Ａｎ（ｎ＝１，２，３，…ｘ），３５Ｂ  調光フィルム
３６  光反射フィルム
７０  車外情報検出装置
【図１】
2019182398.tif 000003
【図２】
2019182398.tif 000004
【図３】
2019182398.tif 000005
【図４】
2019182398.tif 000006
【図５】
2019182398.tif 000007
【図６】
2019182398.tif 000008
【図７】
2019182398.tif 000009
【図８】
2019182398.tif 000010
【図９】
2019182398.tif 000011
【図１０】
2019182398.tif 000012
【図１１】
2019182398.tif 000013
【図１２】
2019182398.tif 000014
【図１３】
2019182398.tif 000015
【図１４】
2019182398.tif 000016
【図１５】
2019182398.tif 000017
【図１６】
2019182398.tif 000018